(57)【特許請求の範囲】
【請求項１】
ランプソケットに形成され、長尺形状の直管形ランプの長手方向の端部に設けられたランプピンが前記直管形ランプの長手方向に対して垂直な挿入方向で挿入される挿入溝に挿入され、
前記挿入溝に前記直管形ランプの長手方向と前記ランプピンの挿入方向とに対してそれぞれ垂直な方向において、横幅が前記挿入溝の幅よりも長く、
前記横幅が、前記挿入溝の幅よりも短くなるように弾性変形して前記挿入溝に挿入され、
前記横幅を有する部位が弾性変形の復元力により前記挿入溝の内壁を押圧することのみにより、前記挿入溝内に支持されるランプ落下防止具。
【請求項２】
前記ランプ落下防止具の挿入方向に対して逆方向に立設する持ち手部を備えた請求項１に記載のランプ落下防止具。
【請求項３】
長尺形状の直管形ランプの長手方向の端部に設けられたランプピンが前記直管形ランプの長手方向に対して垂直な挿入方向で挿入される挿入溝が形成され、前記挿入溝から挿入された前記ランプピンを保持するランプソケットと、
前記直管形ランプの長手方向と前記ランプピンの挿入方向とに対してそれぞれ垂直な方向において、前記挿入溝の幅よりも横幅が長く、前記挿入溝の幅よりも前記横幅が短くなるように弾性変形して前記挿入溝に挿入され、前記横幅を有する部位が弾性変形の復元力により前記挿入溝の内壁を押圧することのみにより、前記挿入溝内に支持されるランプ落下防止具と、
を備えた照明器具。
【請求項４】
長尺形状であり、長手方向の端部にランプピンが設けられた直管形ランプと、
前記ランプピンが前記直管形ランプの長手方向に対して垂直な挿入方向で挿入される挿入溝が形成され、前記挿入溝から挿入された前記ランプピンを保持するランプソケットと、
前記直管形ランプの長手方向と前記ランプピンの挿入方向とに対してそれぞれ垂直な方向において、前記挿入溝の幅よりも横幅が長く、前記挿入溝の幅よりも前記横幅が短くなるように弾性変形して前記挿入溝に挿入され、前記横幅を有する部位が弾性変形の復元力により前記挿入溝の内壁を押圧することのみにより、前記挿入溝内に支持されるランプ落下防止具と、
を備えた照明装置。
【請求項５】
前記ランプ落下防止具は、前記ランプピンと当接する請求項４に記載の照明装置。
【請求項６】
前記ランプピンのうち、前記直管形ランプの長手方向に対して垂直な方向において最長となる箇所である最長部が、前記ランプピンの挿入方向に対して垂直である請求項５に記載の照明装置。
【請求項７】
前記ランプソケットに収納され、前記直管形ランプの長手方向に平行な中心軸を中心に回転し、前記挿入溝から挿入された前記ランプピンが挿入される回転子側ピン挿入溝と、前記回転子側ピン挿入溝より前記中心軸を中心に９０度の位置に形成された防止具挿入溝が形成された回転子を備えており、
前記ランプ落下防止具は、前記ランプピンの挿入方向に立設し、前記防止具挿入溝に挿入される回転子挿入突起部が設けられる請求項４に記載の照明装置。
【請求項８】
前記直管形ランプの長手方向と前記ランプピンの挿入方向とに対してそれぞれ垂直な方向において、前記防止具挿入溝の幅が前記回転子挿入突起部の横幅よりも長い請求項７に記載の照明装置。
【発明の詳細な説明】
【技術分野】
【０００１】
本発明は、ランプ落下防止具と、当該ランプ落下防止具を用いた照明器具及び照明装置に関する。
【背景技術】
【０００２】
従来、長尺状であり両端にランプピンを有する直管形ランプと、直管形ランプのランプピンを保持するランプソケットを有する照明器具を備えた照明装置があった。ランプソケットには、例えば、特許文献１のように、ランプソケットの外周から直管形ランプのランプピンが挿入され、直管形ランプを回転させて装着することで直管形ランプを保持する回転方式が多く用いられている。
【０００３】
また、照明装置は、部屋の天井に取り付けられることが多く、天井に取り付けられた照明装置のランプソケットが直管形ランプを保持できなくなってしまうと、直管形ランプは落下してしまう。そのため、例えば特許文献２のように、直管形ランプの落下を防止するランプ落下防止具を備えた照明装置が知られていた。
【０００４】
特許文献２の照明装置は、照明器具に貼り付けるための粘着層を設けた貼り付け部と照明器具から外れた直管形ランプを受け止めるための受け止め部とを環形状に成形したランプ落下防止具を有している。特許文献２の照明装置において、直管形ランプを照明器具に取り付ける際には、ランプ落下防止具に直管ランプを挿通させて直管形ランプを照明器具に取り付け、ランプ落下防止具の貼り付け部を照明器具に貼り付けることで、落下防止具の受け止め部で照明器具から外れた直管形ランプを受け止めることができ、直管形ランプの落下を防止している。
【先行技術文献】
【特許文献】
【０００５】
【特許文献１】特開２００６−１８５７８６号公報
【特許文献２】実用新案登録第３１６２６５９号公報
【発明の概要】
【発明が解決しようとする課題】
【０００６】
しかしながら、特許文献２の照明装置の落下防止具は、直管形ランプを照明器具へ装着する前に、ランプ落下防止具に直管形ランプを挿通させる必要がある。そのため、既に直管形ランプが装着されている照明器具に対して、落下防止具を装着する場合には、一度ランプをソケットから取り外してランプ落下防止具を装着する必要があった。
【０００７】
本発明は、上記のような課題を解決するために為されたものであり、既に直管形ランプが装着されている照明器具に対して、直管形ランプを照明器具から取り外さずに装着できるランプ落下防止具及び当該ランプ落下防止具を用いた照明器具及び照明装置を提供することを目的とする。
【課題を解決するための手段】
【０００８】
本発明のランプ落下防止具は、ランプソケットに形成され、長尺形状の直管形ランプの長手方向の端部に設けられたランプピンが直管形ランプの長手方向に対して垂直な挿入方向で挿入される挿入溝に挿入され、挿入溝に前記直管形ランプの長手方向とランプピンの挿入方向とに対してそれぞれ垂直な方向において、横幅が挿入溝の幅よりも長く、横幅が、挿入溝の幅よりも短くなるように弾性変形して挿入溝に挿入され、当該横幅を有する部位が弾性変形の復元力により挿入溝の内壁を押圧することのみにより、挿入溝内に支持されることを特徴とする。
【０００９】
また、本発明の照明器具は、長尺形状の直管形ランプの長手方向の端部に設けられたランプピンが直管形ランプの長手方向に対して垂直な挿入方向で挿入される挿入溝が形成され、挿入溝から挿入されたランプピンを保持するランプソケットと、直管形ランプの長手方向とランプピンの挿入方向とに対してそれぞれ垂直な方向において、挿入溝の幅よりも横幅が長く、挿入溝の幅よりも前記横幅が短くなるように弾性変形して挿入溝に挿入され、当該横幅を有する部位が弾性変形の復元力により挿入溝の内壁を押圧することのみにより、挿入溝内に支持されるランプ落下防止具と、を備えたことを特徴とする。
【００１０】
さらに、本発明の照明装置は、長尺形状であり、長手方向の端部にランプピンが設けられた直管形ランプと、ランプピンが直管形ランプの長手方向に対して垂直な挿入方向で挿入される挿入溝が形成され、挿入溝から挿入されたランプピンを保持するランプソケットと、直管形ランプの長手方向とランプピンの挿入方向とに対してそれぞれ垂直な方向において、挿入溝の幅よりも横幅が長く、挿入溝の幅よりも横幅が短くなるように弾性変形して挿入溝に挿入され、当該横幅を有する部位が弾性変形の復元力により挿入溝の内壁を押圧することのみにより、挿入溝内に支持されるランプ落下防止具と、を備えたことを特徴とする。
【発明の効果】
【００１１】
本発明のランプ落下防止装置、照明器具及び照明装置は、ランプ落下防止具の横幅は挿入溝の幅よりも長く、ランプ落下防止具は弾性変形して挿入溝に挿入されるため、ランプ落下防止具は挿入溝を塞ぐことで、直管形ランプを取り外すことなくランプの落下を防止することができる。
【図面の簡単な説明】
【００１２】
【図１】実施の形態１に係る照明装置の斜視図である。
【図２】実施の形態１に係る直管形ランプの斜視図である。
【図３】実施の形態１に係る保持側ソケットの斜視図である。
【図４】実施の形態１に係る保持側ソケットの分解斜視図である。
【図５】実施の形態１に係る給電側ソケットの斜視図である。
【図６】実施の形態１に係る給電側ソケットの分解斜視図である。
【図７】実施の形態１に係るランプ落下防止具の防止具頂面から見た斜視図である。
【図８】実施の形態１に係るランプ落下防止具の防止具底面から見た斜視図である。
【図９】実施の形態１に係るランプ落下防止具が挿入された保持側ソケットの斜視図である。
【図１０】直管形ランプの保持ピンが挿入され、保持ピンが挿入位置に位置する状態における、実施の形態１に係る保持側ソケットの背面図である。
【図１１】直管形ランプの給電ピンが挿入され、給電ピンが挿入位置に位置する状態における、実施の形態１に係る給電側ソケットの背面図である。
【図１２】直管形ランプの保持ピンが挿入され、保持ピンが装着位置に位置する状態における、実施の形態１に係る保持側ソケットの背面図である。
【図１３】直管形ランプの給電ピンが挿入され、給電ピンが装着位置に位置する状態における、実施の形態１に係る給電側ソケットの背面図である。
【図１４】直管形ランプの保持ピンが装着位置にあり、ランプ落下防止具が挿入された状態における、実施の形態１に係る保持側ソケットの背面図である。
【図１５】実施の形態２に係る給電側ソケットの分解斜視図である。
【図１６】実施の形態２に係るランプ落下防止具の防止具頂面から見た斜視図である。
【図１７】実施の形態２に係るランプ落下防止具の防止具底面から見た斜視図である。
【図１８】実施の形態２に係るランプ落下防止具が挿入された給電側ソケットの斜視図である。
【図１９】直管形ランプの給電ピンが挿入され、給電ピンが装着位置に位置する状態における、実施の形態２に係る給電側ソケットの背面図である。
【図２０】直管形ランプの給電ピンが装着位置にあり、ランプ落下防止具が挿入された状態における、実施の形態２に係る給電側ソケットの背面図である。
【発明を実施するための形態】
【００１３】
実施の形態１．
図１は、実施の形態１に係る照明装置の斜視図である。照明装置１は、長尺形状の２本の直管形ランプ１０と、直管形ランプ１０を装着可能な照明器具２０と、を備えている。
【００１４】
図２は、実施の形態１に係る直管形ランプの斜視図である。直管形ランプ１０は、長手方向の一端側に給電側口金１１を備え、他端側に保持側口金１２を備えている。給電側口金１１は一対の略Ｌ字型形状の給電ピン１３を備える。それぞれの給電ピン１３は、直管形ランプ１０の軸方向に突出した軸部１３ａと、軸部１３ａの先端から直管形ランプ１０の軸方向に対して垂直な方向の一方に突出して設けられた端部１３ｂから成る。また保持側口金１２には略Ｔ字型形状の保持ピン１４を備える。保持ピン１４は、直管形ランプ１０の軸方向に突出した軸部１４ａと、軸部１４ａの先端から、直管形ランプ１０の軸方向に対して垂直な方向の両方に突出して設けられた端部１４ｂから成る。なお、給電側口金１１，保持側口金１２，給電ピン１３及び保持ピン１４の形状は、日本工業規格（以下、ＪＩＳと称する）のＪＩＳＣ７７０９−１で定められているＧＸ１６ｔ−５口金に準じた形状である。
【００１５】
また、直管形ランプ１０は、透光性を有するランプカバー１５と、金属製のヒートシンク１６と、ランプカバー１５とヒートシンク１６とで形成された内部空間に備えられヒートシンク１６の内部空間側の面に設けられる基板１７と、基板１７に実装された複数の発光素子１８とを有している。発光素子１８は、発光ダイオードであり、電力が供給されることによって発光する。基板１７には発光素子１８に電力を供給するための回路配線が構成されており、基板１７の回路配線は給電ピン１３と電気的に接続されている。また、ヒートシンク１６は、発光素子１８の発光によって発生する熱を放熱する役割を有しているため、熱伝導性の高い金属材料が用いられる。
【００１６】
図１に示すように、照明器具２０は、器具本体２１と、反射板２２と、２つの保持側ソケット３０と、２つの給電側ソケット４０と、を有している。また、照明器具２０は、図示を省略した点灯装置を有している。
【００１７】
器具本体２１は、長尺形状の内部が中空の箱型であり、器具本体２１の長手方向に平行な面のうちの一面には開口が形成されている。器具本体２１は、室内の天井面に埋め込み設置され、器具本体２１の開口面は室内側を向いており、室内と器具本体２１の内部は連通している。器具本体２１の内部には反射板２２が設けられている。
【００１８】
２つの保持側ソケット３０は、それぞれ器具本体２１の長手方向の一方の端部に設置される。また、２つの給電側ソケット４０は、それぞれ保持側ソケット３０と対向するように器具本体２１の長手方向の他方の端部に設置される。直管形ランプ１０は、保持側ソケット３０に保持ピン１４を保持され、給電側ソケット４０に給電ピン１３を保持されることによって照明器具２０に装着される。
【００１９】
点灯装置は、商用電源等の電源に電気的に接続されており、電源から入力される電力を直管形ランプ１０の点灯に適した電力に変換して出力する。点灯装置の出力は、給電側ソケット４０を介して直管形ランプ１０に供給され、点灯装置の出力により直管形ランプ１０は点灯する。なお、保持側ソケット３０は、給電側ソケット４０と異なり点灯装置とは電気的に接続されていない。また、点灯装置は、器具本体２１の開口とは逆側の面と反射板２２の間に形成された空間に配置されている。
【００２０】
図３は、実施の形態１に係る保持側ソケットの斜視図である。図４は、実施の形態１に係る保持側ソケットの分解斜視図である。保持側ソケット３０は、箱型の保持側ソケット筐体３１と、一対の保持具３２と、板バネ３３を有している。なお、直管形ランプ１０を照明器具２０に装着した際に直管形ランプ１０の保持側口金１２に対向する保持側ソケット３０の面を前面と称し、前面の反対側の面を背面と称する。また、器具本体２１に保持側ソケット３０を取り付けた際に、器具本体２１の開口部を向く保持側ソケット３０の面を底面と称し、底面の反対側の面を頂面と称する。更に、保持側ソケット３０の前面と頂面に対してもそれぞれ垂直な面を側面と称する。なお、実施の形態１の保持側ソケット３０の底面側は円弧形状となっており、実施の形態１では、円弧形状の円周部分を底面とする。
【００２１】
保持側ソケット筐体３１は、背面側が開口された保持側ソケットボディ３４と、保持側ソケットボディ３４の背面側に取り付けられる保持側ソケットカバー３５と、を有している。保持側ソケットカバー３５には爪部３５ａが形成されており、爪部３５ａが保持側ソケットボディ３４に掛止することによって、保持側ソケットカバー３５は保持側ソケットボディ３４の背面側に取り付けられる。また、保持側ソケットボディ３４及び保持側ソケットカバー３５は、例えば熱可塑性樹脂のポリカーボネイドやポリブチレンテレフタレート等の絶縁材で形成されている。
【００２２】
保持側ソケットボディ３４の両方の側面には背面側へ延設され、先端が略円錐形状の器具本体接続部３４ａがそれぞれ形成されている。また、器具本体２１において、保持側ソケット３０が設置される位置には、器具本体接続部３４ａが挿入される挿入穴（図示省略）が形成されている。挿入穴に器具本体接続部３４ａが挿入されることで保持側ソケット３０は器具本体２１に設置される。器具本体接続部３４ａの先端は略円錐形状になっており、挿入穴に器具本体接続部３４ａを挿入するには、まず両方の器具本体接続部３４ａの円錐面の外側を挿入穴の壁部に当接させる。器具本体接続部３４ａを背面側に押し込むと、器具本体接続部３４ａは円錐面が挿入穴の壁面に沿うよう弾性変形し、器具本体接続部３４ａ同士の間隔が縮小される。器具本体接続部３４ａが円錐形状の底部まで挿入穴に挿入されると弾性変形が戻り、器具本体接続部３４ａ同士の間隔が拡大される。このため、器具本体接続部３４ａが器具本体２１から抜け落ちない。また、板バネ３３は、保持側ソケットカバー３５と、器具本体接続部３４ａの先端の円錐形状の部分と、の間に設置されている。板バネ３３は、保持側ソケット３０を器具本体２１に接続した際に保持側ソケット３０の前面側に向かって保持側ソケット３０に付勢し、保持側ソケット３０が器具本体２１の長手方向に対して並行に移動することを妨げている。
【００２３】
保持側ソケットボディ３４の前面と底面には、直管形ランプ１０の長手方向が保持側ソケット３０の前面に垂直な方向と並行になる向きで、保持ピン１４が保持側ソケットの底面側から頂面側へ挿入できるように保持ピン挿入溝３６が形成されている。保持側ソケットボディ３４の側面に対して垂直な方向の保持ピン挿入溝３６の幅Ｌ１は、保持ピン１４の軸部１４ａの外径よりも大きく、保持ピン１４の端部１４ｂにおいて直管形ランプの長手方向に対して垂直な方向における最長となる箇所である最長部の長さＬ２（図１０参照）よりも小さい。
【００２４】
保持具３２は、固定部３２ａと、固定部３２ａから立設するばね部３２ｂと、から成る。保持具３２は、保持側ソケット３０の背面から見た際に、ばね部３２ｂが保持ピン挿入溝３６を挟んで対向するように保持側ソケット筐体３１内に収納されている。固定部３２ａは、ばね部３２ｂよりも保持側ソケット３０の頂面側に位置し、保持側ソケット筐体３１に固定されている（図１０参照）。ばね部３２ｂは、固定部３２ａより保持側ソケット３０の底面側へ立設されており、対向するばね部３２ｂの間隔が拡大するように弾性変形することができる。また、ばね部３２ｂには凹型形状に窪んでいるピン受け部３２ｃが形成されている。
【００２５】
図５は、実施の形態１に係る給電側ソケットの斜視図である。図６は、実施の形態１に係る給電側ソケットの分解斜視図である。給電側ソケット４０は、箱型の給電側ソケット筐体４１と、一対の通電金具４２と、回転子４３と、板バネ４４を有している。なお、直管形ランプ１０を照明器具２０に装着した際に直管形ランプ１０の給電側口金１１に対向する給電側ソケット４０の面を前面と称し、前面の反対側の面を背面と称する。また、器具本体２１に給電側ソケット４０を取り付けた際に器具本体２１の開口部を向く給電側ソケット４０の面を底面と称し、底面の反対側の面を頂面と称する。更に、給電側ソケット４０の前面と頂面に対してそれぞれ垂直な面を側面と称する。なお、実施の形態１の給電側ソケット４０の底面側は円弧形状となっており、実施の形態１では、円弧形状の円周部分を底面とする。
【００２６】
給電側ソケット筐体４１は、背面側が開口された給電側ソケットボディ４５と、給電側ソケットボディ４５の背面側に取り付けられる給電側ソケットカバー４６と、を有している。給電側ソケットカバー４６には爪部４６ａが形成されており、爪部４６ａが給電側ソケットボディ４５に掛止することによって、給電側ソケットカバー４６は給電側ソケットボディ４５の背面側に取り付けられる。また、給電側ソケットボディ４５及び給電側ソケットカバー４６は、例えば熱可塑性樹脂のポリカーボネイドやポリブチレンテレフタレート等の絶縁材で形成されている。
【００２７】
給電側ソケットボディ４５の両方の側面には、保持側ソケットボディ３４と同じく、背面側へ延設され、先端が略円錐形状の器具本体接続部４５ａがそれぞれ形成されている。また、板バネ４４は、給電側ソケットカバー４６と器具本体接続部４５ａの先端の円錐形状の部分との間に設置されている。器具本体２１において、給電側ソケット４０が設置される位置には、器具本体接続部４５ａが挿入される挿入穴（図示省略）が形成されている。給電側ソケットボディ４５の器具本体接続部４５ａを挿入穴に挿入する方法については、保持側ソケットボディ３４の器具本体接続部３４ａを挿入穴に挿入する方法と、略同じである。
【００２８】
給電側ソケットボディ４５の前面には、円形の給電側ソケット開口部４７が形成されている。また、給電側ソケットボディ４５の前面と底面には、直管形ランプ１０の長手方向が給電側ソケット４０の前面に垂直な方向と並行になる向きで、給電側ソケット開口部４７へ給電ピン１３を底面側から頂面側へ挿入できるように形成された給電ピン挿入溝４８が形成されている。給電ピン挿入溝４８のうち、給電側ソケット４０の側面に対して垂直な方向の長さを、給電ピン挿入溝の幅Ｌ３とする。さらに、給電側ソケットボディ４５には給電側ソケット開口部４７と同心円状に略円形の位置決めリブ４７ａが給電側ソケットボディ４５より背面方向へ立設されている（図１１参照）。なお、位置決めリブ４７ａの直径は給電側ソケット開口部４７の直径よりも大きい。また、図示を省略しているが、給電側ソケットボディ４５の頂面には給電側ソケット筐体４１の内部へ連通する電線挿入孔が形成されている。
【００２９】
回転子４３は、給電側ソケット開口部４７よりも直径が大きく位置決めリブ４７ａよりも直径が小さい略円盤形状の口金対向部４３ａと、口金対向部４３ａの一方の面から立設する円筒部４３ｂを有している。回転子４３には、口金対向部４３ａから円筒部４３ｂの途中まで形成された回転子側ピン挿入溝４３ｃが形成されている。また、回転子４３は、例えば熱可塑性樹脂のポリカーボネイドやポリブチレンテレフタレート等の絶縁材で形成されている。
【００３０】
回転子４３は、口金対向部４３ａの円筒部４３ｂが立設されていない他方の面が給電側ソケットボディ４５に当接し、口金対向部４３ａが位置決めリブ４７ａよりも給電側ソケット開口部４７側に位置するよう給電側ソケット筐体４１内部に配置される。（図１１参照）このように配置することによって、回転子４３は給電側ソケット４０の前面に対して平行な方向への動きは位置決めリブ４７ａにより規制されている。さらに、回転子４３は給電側ソケット４０の前面に対して垂直であり給電側ソケット開口部４７の中心点を通過する直線を中心軸として回転可能であり、給電ピン挿入溝４８と回転子側ピン挿入溝４３ｃとを給電側ソケット４０の頂面に対して垂直な方向へ一直線上に揃えることができる。
【００３１】
通電金具４２は、導電性を有する材料から成り、実施の形態１では銅製である。また、通電金具４２は、端子部４２ａと、端子部４２ａから立設するばね部４２ｂと、から成る。通電金具４２は、給電側ソケット４０の背面から見た際に、ばね部４２ｂが給電側ソケット開口部４７の中心点を挟んで対向するように給電側ソケット筐体４１内に収納されている。端子部４２ａは、ばね部４２ｂよりも給電側ソケット４０の頂面側に位置し、給電側ソケット筐体４１に固定されている（図８参照）。ばね部４２ｂは、端子部４２ａより給電側ソケット４０の底面側へ立設されており、対向するばね部４２ｂの間隔が拡大するように弾性変形することができる。また、ばね部４２ｂには凹型形状に窪んでいるピン受け部４２ｃが形成されている。さらに、端子部４２ａに、給電側ソケットボディ４５の電線挿入孔より挿入された電線を介して点灯装置と電気的に接続されている。
【００３２】
図７は、実施の形態１に係るランプ落下防止具の防止具頂面から見た斜視図である。図８は、実施の形態１に係るランプ落下防止具の防止具底面から見た斜視図である。図９は、実施の形態１に係るランプ落下防止具が挿入された保持側ソケットの斜視図である。
【００３３】
ランプ落下防止具５０は、ゴムなどの弾性限界が高い材料から成り、図７及び図８に示すように略直方体形状である。説明のため、ランプ落下防止具５０の面のうち、ランプ落下防止具５０を図９のように保持側ソケット３０の保持ピン挿入溝３６へ挿入した際に保持側ソケット３０の底面側に位置する面を防止具底面５０ａと称し、頂面側に位置する面を防止具頂面５０ｂと称する。また、同様に保持側ソケット３０の前面側に位置する面を防止具前面５０ｃと称し、保持側ソケット３０の背面側に位置する面を防止具背面５０ｄと称し、保持側ソケット３０の側面側に位置する２つの面をそれぞれ防止具側面５０ｅと称する。
【００３４】
防止具前面５０ｃと、防止具背面５０ｄと、２つの防止具側面５０ｅと、から成るランプ落下防止具５０の外周には、複数の凸部５１が形成されている。防止具側面５０ｅに対して垂直な方向の凸部５１の長さは、保持ピン挿入溝３６の幅Ｌ１よりも長くなっている。また、ランプ落下防止具５０の防止具側面５０ｅに対して垂直な方向の凸部５１の長さをランプ落下防止具の横幅Ｌ４と称する。
【００３５】
また、ランプ落下防止具５０の内部には、収縮孔５２が形成されており、収縮孔５２は防止具頂面５０ｂ側に開口し、外部の空間に連通している。ランプ落下防止具５０は弾性限界の高い材料から成るため、ランプ落下防止具５０を圧縮させる力が凸部５１に加えられた状態では、ランプ落下防止具５０は収縮孔５２が潰れるように弾性変形し、ランプ落下防止具５０の横幅Ｌ４は力が加えられない状態に比べて短くなる。また、ランプ落下防止具５０が弾性変形した際に、ランプ落下防止具５０が元の形状に戻る力である反力がランプ落下防止具５０より生じる。
【００３６】
さらに、防止具底面５０ａには、防止具頂面５０ｂとは反対方向に立設する持ち手部５３を備えている。持ち手部５３のうち、表面積が最も広い面には滑り止め突起５３ａが複数形成されている。
【００３７】
図９のようにランプ落下防止具５０は、保持ピン挿入溝３６に、保持側ソケット３０の底面側から頂面側へ挿入することが可能である。ランプ落下防止具の横幅Ｌ４は、保持ピン挿入溝３６の幅Ｌ１よりも長いため、ランプ落下防止具５０は、ランプ落下防止具の横幅Ｌ４の長さを保持ピン挿入溝３６の幅Ｌ１の長さよりも短くなるように弾性変形して、保持側ソケット３０の保持ピン挿入溝３６に挿入される。保持側ソケット３０の保持ピン挿入溝３６にランプ落下防止具５０が挿入された状態ではランプ落下防止具５０は常に弾性変形しているため、ランプ落下防止具５０から保持側ソケット３０に対して反力が働く。当該反力によってランプ落下防止具５０と保持側ソケット３０の間に作用する摩擦力が増大し、ランプ落下防止具５０が保持側ソケット３０の底面側へ容易に移動せず、ランプ落下防止具５０は保持ピン挿入溝３６から抜け落ち難くなっている。
【００３８】
実施の形態１における直管形ランプ１０を照明器具２０に装着する方法について説明する。図１０は、直管形ランプの保持ピンが挿入され、保持ピンが挿入位置に位置する状態における、実施の形態１の保持側ソケットの背面図である。図１１は、直管形ランプの給電ピンが挿入され、給電ピンが挿入位置に位置する状態における、実施の形態１の給電側ソケットの背面図である。なお、図１０及び図１１では、説明のため、保持側ソケット３０の背面、給電側ソケット４０の背面及び板バネ３３，４４を図示せず保持側ソケット３０又は給電側ソケット４０の内部を図示している。保持側ソケット３０には、保持ピン１４が保持ピン挿入溝３６より挿入される（図１０参照）。この際、保持ピン１４の端部１４ｂの最長部は、給電側ソケット４０の頂面に垂直な方向に対して並行になる向きで、保持ピン１４は保持ピン挿入溝３６に挿入される。また、給電側ソケット４０には、給電ピン１３が給電ピン挿入溝４８より挿入される（図１１参照）。この際に、給電ピン挿入溝４８と回転子側ピン挿入溝４３ｃは給電側ソケット４０の頂面に垂直な方向に一直線上に揃えられている。また、２つの給電ピン１３は給電側ソケット４０の頂面に垂直な方向に一直線上に揃えられ、給電ピン１３は回転子側ピン挿入溝４３ｃまで挿入される。このように、保持側ソケット３０に保持ピン１４を挿入した直後の保持ピン１４の位置及び給電側ソケット４０に給電ピン１３を挿入した直後の給電ピン１３の位置をそれぞれ挿入位置と称する。保持側ソケット３０に保持ピン１４が挿入され、給電側ソケット４０に給電ピン１３が挿入された後、直管形ランプ１０の長手方向に平行な軸を中心軸として直管形ランプ１０を回転させる。直管形ランプ１０が回転することで、保持ピン１４及び給電ピン１３も同様に回転する。
【００３９】
図１２は、直管形ランプの保持ピンが挿入され、保持ピンが装着位置に位置する状態における、実施の形態１に係る保持側ソケットの背面図である。図１３は、直管形ランプの給電ピンが挿入され、給電ピンが装着位置に位置する状態における、実施の形態１に係る給電側ソケットの背面図である。なお、図１２及び図１３では、説明のため、保持側ソケット３０の背面、給電側ソケット４０の背面及び板バネ３３，４４を図示せず保持側ソケット３０又は給電側ソケット４０の内部を図示している。装着位置より、直管形ランプ１０を回転させると、保持ピン１４の端部１４ｂと保持具３２のばね部３２ｂとが当接し、給電ピン１３の軸部１３ａと通電金具４２のばね部４２ｂとが当接する。この状態から更に回転させると、保持ピン１４の端部１４ｂは一対の保持具３２のばね部３２ｂの間隔を拡大する方向にばね部３２ｂを弾性変形させ、給電ピン１３の軸部１３ａは一対の通電金具４２のばね部４２ｂの間隔を拡大する方向にばね部４２ｂを弾性変形させる。直管形ランプ１０を挿入位置から９０度回転させると、保持ピン１４の端部１４ｂと、給電ピン１３の軸部１３ａとは、それぞれ保持具３２のピン受け部３２ｃと、通電金具４２のピン受け部４２ｃに当接する（図１２及び図１３参照）。ばね部３２ｂの挟持力によって保持ピン１４の端部１４ｂはピン受け部３２ｃに嵌まり込み、保持ピン１４は保持側ソケット３０に保持される。また、ばね部４２ｂの挟持力によって給電ピン１３の軸部１３ａはピン受け部４２ｃに嵌まり込み、給電ピン１３は給電側ソケット４０に保持される。このように直管形ランプ１０を挿入位置から９０度回転させ、保持具３２のピン受け部３２ｃに保持ピン１４の端部１４ｂが嵌まり込んだ保持ピン１４の位置、及び通電金具４２のピン受け部４２ｃに給電ピン１３の軸部１３ａが嵌まり込んだ給電ピン１３の位置を、それぞれ装着位置と称する。装着位置では、ピン受け部３２ｃ，４２ｃに保持ピン１４の端部１４ｂ及び給電ピン１３の軸部１３ａが嵌まり込んだ状態になっているため、直管形ランプ１０を回転させる外力が直管形ランプ１０に加わっても、ばね部３２ｂ，４２ｂの挟持力によって端部１４ｂ及び軸部１３ａを装着位置へ導くように力が働き、直管形ランプ１０は回転し難くなっている。
【００４０】
また、装着位置では給電ピン１３は通電金具４２と当接しているため、給電ピン１３と通電金具４２は電気的に接続される。給電ピン１３と通電金具４２が電気的に接続されることによって、点灯装置、一方の通電金具４２、一方の給電ピン１３、基板１７の回路配線、発光素子１８、基板１７の回路配線、他方の給電ピン１３、他方の通電金具４２、点灯装置の順に電流が流れる回路が形成される。点灯装置が当該回路を用いて発光素子１８に電力を供給することによって、直管形ランプ１０は点灯する。
【００４１】
図１４は、直管形ランプの保持ピンが装着位置にあり、ランプ落下防止具が挿入された状態における、実施の形態１に係る保持側ソケットの背面図である。なお、図１４では、説明のため、保持側ソケットの背面及び板バネ３３を図示せず保持側ソケット３０の内部を図示している。保持ピン１４が装着位置に位置する状態において、ランプ落下防止具５０は、弾性変形して保持側ソケット３０の保持ピン挿入溝３６に挿入され、ランプ落下防止具５０は保持ピン挿入溝３６を塞ぐ。また、挿入されたランプ落下防止具５０の防止具頂面５０ｂは、保持ピン１４の端部１４ｂに当接する。装着位置においては、保持ピン１４の端部１４ｂの最長部は、ランプ落下防止具５０の挿入方向に対して垂直な向きになっている。ランプ落下防止具５０を保持ピン挿入溝３６に挿入した状態で直管形ランプ１０を回転させようとすると、ランプ落下防止具５０が保持ピン１４の端部１４ｂの回転を妨げる。このため、直管形ランプ１０を回転させるには、ランプ落下防止具５０を保持側ソケット３０の底面側へ移動させる必要がある。前述の通りランプ落下防止具５０から保持側ソケット３０へ生じる反力によってランプ落下防止具５０は保持側ソケット３０の底面側へ移動することを抑制している。このため、直管形ランプ１０を回転させる外力が加えられても保持ピン１４の端部１４ｂの回転をランプ落下防止具５０が妨げるため、直管形ランプ１０はより回転し難くなっている。
【００４２】
また、図１４のように直管形ランプ１０の保持ピン１４が装着位置にあり、ランプ落下防止具５０が挿入された状態において、保持側ソケットボディ３４の側面に対して垂直な方向と、防止具側面５０ｅに対して垂直な方向とは、保持側ソケット３０に保持ピン１４が挿入された直管形ランプ１０の長手方向と保持ピン１４の挿入方向とに対してそれぞれ垂直な方向に相当する。このため、保持ピン挿入溝３６の幅Ｌ１は、保持側ソケット３０に保持ピン１４が挿入された直管形ランプ１０の長手方向と保持ピン１４の挿入方向とに対してそれぞれ垂直な方向における保持ピン挿入溝３６の長さである。また、ランプ落下防止具５０の横幅Ｌ４は、保持側ソケット３０に保持ピン１４が挿入された直管形ランプ１０の長手方向と保持ピン１４の挿入方向とに対してそれぞれ垂直な方向におけるランプ落下防止具５０の凸部５１の長さである。
【００４３】
また、直管形ランプ１０を照明器具２０より取り外す場合は、ランプ落下防止具５０を保持ピン挿入溝３６より抜き出し、直管形ランプ１０を回転させて保持ピン１４及び給電ピン１３の位置を装着位置から挿入位置に移動させ、保持ピン挿入溝３６及び給電ピン挿入溝４８より保持ピン１４及び給電ピン１３を取り外せばよい。
【００４４】
実施の形態１において、保持側ソケット３０の保持ピン挿入溝３６の幅Ｌ１とランプ落下防止具の横幅Ｌ４とを比較するとランプ落下防止具５０の横幅Ｌ４の方が長く、ランプ落下防止具５０が弾性変形することで保持ピン挿入溝３６にランプ落下防止具５０が挿入できるため、保持ピン挿入溝３６にランプ落下防止具５０を挿入することによって、ランプ落下防止具５０が保持ピン挿入溝３６を塞ぎ、直管形ランプ１０の落下を防止することができる。
【００４５】
また、ランプ落下防止具５０の防止具頂面５０ｂと保持ピン１４の端部１４ｂが当接し、ランプ落下防止具５０が直管形ランプ１０の回転を妨げることができるため、振動などの外的要因によって給電ピン１３が装着位置から回転し、給電ピン１３と通電金具４２とが電気的に切断され、直管形ランプ１０が消灯してしまうことを抑制している。
【００４６】
さらに、ランプ落下防止具５０を保持ピン挿入溝３６より抜き出す場合は、使用者は持ち手部５３を掴み、保持側ソケット３０の底面側へ引っ張ることによって容易にランプ落下防止具５０を保持ピン挿入溝３６より抜き出すことができる。また、持ち手部５３のうち、表面積が最も広い面には滑り止め突起５３ａが複数形成されているため、持ち手部５３を引っ張る際に滑り難く、容易に保持ピン挿入溝３６よりランプ落下防止具５０を抜き出すことができる。
【００４７】
また、ランプ落下防止具５０を保持ピン挿入溝３６に挿入するだけで直管形ランプ１０の落下を防止することができ、直管形ランプ１０を照明器具２０から取り外す必要なく直管形ランプ１０の落下を防止することができる。
【００４８】
さらに、実施の形態１の直管形ランプ１０の保持ピン１４はＪＩＳＣ７７０９−１で定められているＧＸ１６ｔ−５口金に準じた形状であり、寸法は規格内で定められている。そのため、保持側ソケットボディ３４の側面に対して垂直な方向の保持ピン挿入溝３６の幅Ｌ１は、同一の種類の保持ピン１４を使用する場合はソケット毎に大きく変更はされない。そのため、保持ピン１４の種類に対応したランプ落下防止具５０を設計するだけでよく、保持側ソケット３０毎にランプ落下防止具５０を設計する必要は無い。
【００４９】
実施の形態１における、保持ピン１４と、保持側ソケット３０と、保持ピン挿入溝３６と、ランプ落下防止具５０とは、それぞれ本発明のランプピンと、ランプソケットと、挿入溝と、ランプ落下防止具に該当する。
【００５０】
なお、実施の形態１のランプ落下防止具５０は、ランプ落下防止具５０の外周には複数の凸部５１が形成され、内部には収縮孔５６が形成されているが、これに限らず、ランプ落下防止具の横幅Ｌ４が保持ピン挿入溝３６の幅Ｌ１よりも長ければ良い。例えば、凸部は防止具側面５０ｅのみに設けられており、防止具前面５０ｃと防止具背面５０ｄとには凸部は設けられていなくても良い。また、防止具側面５０ｅにも凸部が設けられていなくても、ランプ落下防止具５０の防止具側面５０ｅに垂直な方向の辺の長さが保持ピン挿入溝３６の幅Ｌ１よりも長ければ良い。
【００５１】
さらに、実施の形態１のランプ落下防止具５０の形状は直方体であるが、保持ピン挿入溝３６に挿入する際に、保持側ソケット３０の側面に対して垂直な方向の最大の長さが、保持ピン挿入溝３６の幅Ｌ１よりも長ければ、ランプ落下防止具５０の形状は直方体に限らない。例えば、形状が円柱形状であり、円柱の底面が防止具頂面又は防止具底面に相当し、円柱の底面の直径が保持ピン挿入溝３６の幅Ｌ１よりも長いランプ落下防止具５０でも良い。
【００５２】
また、実施の形態１のランプ落下防止具５０は、ゴムなどの弾性限界が高い材料から成り、内部には収縮孔５２が形成されているが、これに限らず、ランプ落下防止具５０は弾性変形によってランプ落下防止具５０の横幅Ｌ４が保持ピン挿入溝３６の幅Ｌ１よりも短くすることが可能であれば良い。例えば、ランプ落下防止具５０は、防止具側面５０ｅに対して垂直な方向の長さが短くすると同時に、防止具底面５０ａに対して垂直な方向の長さ又は防止具前面５０ｃに対して垂直な方向の長さを長くするように、弾性変形をすることができるため、収縮孔５２が設けられていなくても良い。
【００５３】
さらに、ランプ落下防止具５０のうち凸部５１は別体で設けられ、凸部５１のみが弾性限界の高い材料から成っていても良い。この場合は凸部５１の防止具側面５０ｅに垂直な方向の幅が短くなり、凸部５１の防止具頂面に垂直な方向の幅が長くなるように凸部５１は弾性変形し、ランプ落下防止具５０の横幅Ｌ４の凸部５１の長さが短くなる。
【００５４】
また、実施の形態１のランプ落下防止具５０の防止具頂面５０ｂは、保持ピン１４の最長部がランプ落下防止具５０の挿入方向に対して垂直な状態で、保持ピン１４の最長部と当接しているが、これに限らない。ランプ落下防止具５０が保持ピン１４に当接する状態では保持ピン１４が回転しようとするとランプ落下防止具５０と保持ピン１４の間には摩擦力が働き、保持ピン１４は回転し難くなる。このため、ランプ落下防止具５０は保持ピン１４と当接するだけであっても、保持ピン１４が回転し難くなる効果を得ることができる。さらに、ランプ落下防止具５０が保持ピン挿入溝３６を塞ぐことで、保持ピン挿入溝３６から保持ピン１４が抜け落ちることを防止しているため、ランプ落下防止具５０が保持ピン１４と当接していなくても、直管形ランプ１０の落下を防止することができる。
【００５５】
また、実施の形態１の保持側ソケット３０は保持具３２を有しているが、ランプ落下防止具５０が保持ピン挿入溝３６を塞ぎ、保持ピン挿入溝３６から保持ピン１４が抜け落ちることを防止しているため、保持側ソケット３０は保持具３２を有していなくても構わない。
【００５６】
実施の形態２．
実施の形態１では保持ピン挿入溝３６にランプ落下防止具５０を挿入することで直管形ランプ１０の落下を防止する構成について説明したが、実施の形態２では給電ピン挿入溝４８にランプ落下防止具６０を挿入することで直管形ランプ１０の落下を防止する構成について説明する。なお、回転子４３の形状とランプ落下防止具６０を除いて、実施の形態２の照明装置１は実施の形態１の照明装置１と同様であるため、説明を割愛する。また、実施の形態２において、通電金具４２は、本発明の保持金具に該当する。
【００５７】
図１５は、実施の形態２に係る給電側ソケットの分解斜視図である。実施の形態２の回転子４３の円筒部４３ｂには、円筒部４３ｂの口金対向部４３ａと一体化されていない端部から口金対向部４３ａ側へ防止具挿入溝４３ｄが２ヶ所に形成されている。防止具挿入溝４３ｄは、円筒部４３ｂの円周に沿ってそれぞれの回転子側ピン挿入溝４３ｃより９０度の位置に形成されている。また、給電ピン挿入溝４８と回転子側ピン挿入溝４３ｃとを給電側ソケット４０の頂面に垂直な方向に一直線上に揃えた状態において、給電側ソケットの前面に対して垂直な方向の防止具挿入溝４３ｄの長さを、防止具挿入溝４３ｄの幅Ｌ５とする。
【００５８】
図１６は、実施の形態２に係るランプ落下防止具の防止具頂面から見た斜視図である。図１７は、実施の形態２に係るランプ落下防止具の防止具底面から見た斜視図である。図１８は、実施の形態２に係るランプ落下防止具が挿入された給電側ソケットの斜視図である。
【００５９】
ランプ落下防止具６０は、ゴムなどの弾性限界が高い材料から成り、図１６及び図１７に示すように略直方体形状である。説明のため、ランプ落下防止具６０の面のうち、ランプ落下防止具６０を図１８のように給電側ソケット４０の給電ピン挿入溝４８へ挿入した際に給電側ソケット４０の底面側に位置する面を防止具底面６０ａと称し、頂面側に位置する面を防止具頂面６０ｂと称する。また、同様に給電側ソケット４０の前面側に位置する面を防止具前面６０ｃと称し、給電側ソケット４０の背面側に位置する面を防止具背面６０ｄと称し、給電側ソケット４０の側面側に位置する２つの面をそれぞれ防止具側面６０ｅと称する。
【００６０】
防止具前面６０ｃと、防止具背面６０ｄと、２つの防止具側面６０ｅと、から成るランプ落下防止具６０の外周には、複数の凸部６１が形成されている。防止具側面６０ｅに対して垂直な方向の凸部６１の長さは、給電ピン挿入溝４８の幅Ｌ３よりも長くなっている。また、ランプ落下防止具６０の防止具側面６０ｅに対して垂直な方向の凸部６１の長さをランプ落下防止具６０の横幅Ｌ６と称する。
【００６１】
また、防止具底面６０ａには、防止具頂面６０ｂとは反対方向に立設する持ち手部６２を備えている。持ち手部６２のうち、表面積が最も広い面には滑り止め突起６２ａが複数形成されている。
【００６２】
更に、防止具頂面６０ｂには、防止具底面６０ａとは反対方向に立設する回転子挿入突起部６３が形成されている。回転子挿入突起部６３のうち、防止具側面６０ｅに対して垂直な方向の長さは、防止具挿入溝の幅Ｌ５よりも短い。防止具側面６０ｅに対して垂直な方向の長さを回転子挿入突起部６３の横幅Ｌ７と称する。
【００６３】
ランプ落下防止具６０の内部には、収縮孔６４が形成されている。収縮孔６４は、防止具頂面６０ｂ側は開口し、外部の空間に連通している。ランプ落下防止具６０は、弾性限界の高い材料からなるため、ランプ落下防止具６０を圧縮させる力が凸部６１に加えられた状態では、ランプ落下防止具６０は収縮孔６４が潰れるように弾性変形し、ランプ落下防止具６０の横幅Ｌ６は力が加えられない状態に比べて短くなる。また、ランプ落下防止具６０が弾性変形した際に、ランプ落下防止具６０が元の形状に戻る力である反力がランプ落下防止具６０より生じる。
【００６４】
図１８のようにランプ落下防止具６０は、給電側ソケット４０の給電ピン挿入溝４８に挿入することが可能である。ランプ落下防止具６０の横幅Ｌ６は、給電ピン挿入溝４８の幅Ｌ３よりも長いため、ランプ落下防止具６０は、ランプ落下防止具６０の横幅Ｌ６の長さを給電ピン挿入溝４８の幅Ｌ３よりも短くなるよう弾性変形して、給電ピン挿入溝４８に挿入される。また、給電ピン挿入溝４８にランプ落下防止具６０が挿入された状態では、ランプ落下防止具６０は常に弾性変形しているため、ランプ落下防止具６０から給電側ソケット４０に対して反力が働く。当該反力によって、ランプ落下防止具６０と給電側ソケット４０との間に作用する摩擦力が増大し、ランプ落下防止具６０が給電側ソケット４０の底面側へ容易に移動せず、この結果ランプ落下防止具６０は給電ピン挿入溝４８から抜け難くなっている。
【００６５】
実施の形態２における直管形ランプ１０を照明器具２０に装着する方法について説明する。なお、実施の形態２において、給電ピン１３を給電側ソケット４０に挿入し、保持ピン１４を保持側ソケット３０に挿入し、給電ピン１３及び保持ピン１４が挿入位置から装着位置に位置するように直管形ランプ１０を回転させるまでの手順は実施の形態１と略同様であるため、説明を割愛する。
【００６６】
図１９は、直管形ランプの給電ピンが挿入され、給電ピンが装着位置に位置する状態における、実施の形態２に係る給電側ソケットの背面図である。図２０は、直管形ランプの給電ピンが装着位置にあり、ランプ落下防止具が挿入された状態における、実施の形態２に係る給電側ソケットの背面図である。なお、図１９及び図２０では給電側ソケット４０の背面及び板バネ４４を図示せず給電側ソケット４０の内部を図示している。図１９に示すように、給電ピン１３が装着位置に位置する状態において、回転子４３に形成された防止具挿入溝４３ｄは、給電ピン挿入溝４８と給電側ソケット４０の頂面に垂直な方向に一直線上に揃えられている。
【００６７】
給電ピン１３が装着位置に位置する状態において、ランプ落下防止具６０は、弾性変形して給電側ソケット４０の給電ピン挿入溝４８に挿入され、ランプ落下防止具６０は保持ピン挿入溝３６を塞ぐ。また、挿入されたランプ落下防止具６０の回転子挿入突起部６３は、回転子４３に形成された防止具挿入溝４３ｄに挿入される。ランプ落下防止具６０が挿入された状態で直管形ランプ１０を回転させようとすると、回転子４３の回転を回転子挿入突起部６３が妨げる。このため、直管形ランプ１０を回転させるには、ランプ落下防止具６０を給電側ソケット４０の底面側へ移動させ、回転子挿入突起部６３を防止具挿入溝４３ｄから抜き出す必要がある。前述の通りランプ落下防止具６０から給電側ソケット４０へ生じる反力によって、ランプ落下防止具６０は給電側ソケット４０の底面側へ移動することを抑制している。このため、直管形ランプ１０が回転する際に回転子４３の回転をランプ落下防止具６０が妨げるため、直管形ランプ１０が回転し難くなっている。
【００６８】
また、図２０のように直管形ランプ１０の給電ピン１３が装着位置にあり、ランプ落下防止具６０が挿入された状態において、給電側ソケットボディ４５の側面に対して垂直な方向と、防止具側面６０ｅに対して垂直な方向とは、給電側ソケット４０に給電ピン１３が挿入された直管形ランプ１０の長手方向と給電ピン１３の挿入方向とに対してそれぞれ垂直な方向に相当する。このため、給電ピン挿入溝４８の幅Ｌ３は、給電側ソケット４０に給電ピン１３が挿入された直管形ランプ１０の長手方向と給電ピン１３の挿入方向とに対してそれぞれ垂直な方向における給電ピン挿入溝４８の長さである。また、ランプ落下防止具６０の横幅Ｌ６は、給電側ソケット４０に給電ピン１３が挿入された直管形ランプ１０の長手方向と給電ピン１３の挿入方向とに対してそれぞれ垂直な方向におけるランプ落下防止具６０の凸部６１の長さである。回転子挿入突起部６３の横幅Ｌ７は、給電側ソケット４０に給電ピン１３が挿入された直管形ランプ１０の長手方向と給電ピン１３の挿入方向とに対してそれぞれ垂直な方向におけるランプ落下防止具６０の回転子挿入突起部６３の長さである。
【００６９】
また、直管形ランプ１０を照明器具２０より取り外す場合は、ランプ落下防止具６０を給電ピン挿入溝４８より抜き出し、直管形ランプ１０を回転させて保持ピン１４及び給電ピン１３の位置を装着位置から挿入位置に移動させ、保持ピン挿入溝３６及び給電ピン挿入溝４８より保持ピン１４及び給電ピン１３を取り外せばよい。
【００７０】
実施の形態２において、給電側ソケット４０の給電ピン挿入溝４８の幅Ｌ３とランプ落下防止具６０の横幅Ｌ６とを比較すると、ランプ落下防止具６０の横幅Ｌ６の方が長く、ランプ落下防止具６０が弾性変形することで給電ピン挿入溝４８にランプ落下防止具６０が挿入できるため、給電ピン挿入溝４８にランプ落下防止具６０を挿入することによって、ランプ落下防止具６０が給電ピン挿入溝４８を塞ぎ、直管形ランプ１０の落下を防止することができる。
【００７１】
また、ランプ落下防止具６０の回転子挿入突起部６３が回転子４３に形成された防止具挿入溝４３ｄに挿入され、直管形ランプ１０の回転をランプ落下防止具６０が妨げるため、振動などの外的要因によって給電ピン１３が装着位置から回転し、給電ピン１３と通電金具４２とが電気的に切断され、直管形ランプ１０が消灯してしまうことを抑制している。また、回転子挿入突起部の横幅Ｌ７は、防止具挿入溝の幅Ｌ５よりも短いため、回転子挿入突起部６３を弾性変形させずに円滑に挿入することができる。
【００７２】
また、ランプ落下防止具６０を給電ピン挿入溝４８に挿入するだけで直管形ランプ１０の落下を防止することができ、直管形ランプ１０を照明器具２０から取り外す必要なく直管形ランプ１０の落下を防止することができる。
【００７３】
さらに、実施の形態１のランプ落下防止具５０と同様に、ランプ落下防止具６０には、持ち手部６２と滑り止め突起６２ａとを備えているため、容易にランプ落下防止具６０を給電ピン挿入溝４８から抜き出すことができる。また、直管形ランプ１０の給電ピン１３は、ＪＩＳＣ７７０９−１で定められているＧＸ１６ｔ−５口金に準じた形状であり、寸法は規格内で定められているため、給電ピン１３の種類に対応したランプ落下防止具６０を設計するだけでよく、給電側ソケット４０毎にランプ落下防止具６０を設計する必要は無い。
【００７４】
実施の形態２における、給電ピン１３と、給電側ソケット４０と、給電ピン挿入溝４８と、ランプ落下防止具６０とは、それぞれ本発明のランプピンと、ランプソケットと、挿入溝と、ランプ落下防止具に該当する。
【００７５】
なお、実施の形態２のランプ落下防止具６０は、ランプ落下防止具６０の外周には複数の凸部６１が形成され、内部には収縮孔６４が形成されているが、これに限らず、ランプ落下防止具６０の横幅Ｌ６が給電ピン挿入溝４８の幅Ｌ３よりも長ければ良い。このようなランプ落下防止具６０としては、例えば、凸部６１は防止具側面６０ｅのみに設けられており、防止具前面６０ｃと防止具背面６０ｄとには凸部６１は設けられていなくても良い。また、防止具側面６０ｅにも凸部が設けられていなくても、ランプ落下防止具６０の防止具側面６０ｅに垂直な方向の辺の長さが給電ピン挿入溝４８の幅Ｌ３よりも長ければ良い。
【００７６】
さらに、実施の形態２のランプ落下防止具６０の形状は直方体であるが、給電ピン挿入溝４８に挿入する際に、給電側ソケット４０の側面に対して垂直な方向の最大の長さが、給電ピン挿入溝４８の幅Ｌ３よりも長ければ、ランプ落下防止具６０の形状は直方体に限らない。例えば、形状が円柱形状であり、円柱の底面が防止具頂面６０ｂ又は防止具底面６０ａに相当し、円柱の底面の直径が給電ピン挿入溝４８の幅Ｌ３よりも長いランプ落下防止具６０でも良い。
【００７７】
また、実施の形態２のランプ落下防止具６０は、ゴムなどの弾性限界が高い材料から成り、内部には収縮孔６４が形成されているが、これに限らず、ランプ落下防止具６０は弾性変形によってランプ落下防止具６０の横幅Ｌ６が給電ピン挿入溝４８の幅Ｌ３よりも短くすることが可能であれば良い。例えば、ランプ落下防止具６０は、防止具側面６０ｅに対して垂直な方向の長さが短くすると同時に、防止具底面６０ａに対して垂直な方向の長さ又は防止具前面６０ｃに対して垂直な方向の長さを長くするように、弾性変形をすることができるため、収縮孔６４が設けられていなくても良い。さらに、ランプ落下防止具のうち凸部６１は別体で設けられ、凸部６１のみが弾性限界の高い材料から成っていても良い。この場合は凸部６１の防止具側面６０ｅに垂直な方向の幅が短くなり、凸部６１の防止具頂面６０ｂに垂直な方向の幅が長くなるように凸部６１は弾性変形し、ランプ落下防止具の横幅Ｌ６の凸部６１の長さが短くなる。
【００７８】
また、実施の形態２のランプ落下防止具６０の防止具頂面６０ｂには回転子挿入突起部６３が形成されており、回転子４３には防止具挿入溝４３ｄが形成されているが、これに限らない。例えば、回転子挿入突起部６３と防止具挿入溝４３ｄとが形成されていない場合であっても、ランプ落下防止具６０の防止具頂面６０ｂと回転子４３の円筒部４３ｂとが当接することで、回転子４３が回転する際にランプ落下防止具６０と回転子４３の間に摩擦力が生じる。当該摩擦力によって直管形ランプ１０の回転を妨げることができる。さらに、回転子挿入突起部６３と防止具挿入溝４３ｄとが形成されておらず、ランプ落下防止具６０と回転子４３が当接していない場合であっても、ランプ落下防止具６０が給電ピン挿入溝４８を塞ぐことで、給電ピン挿入溝４８から給電ピン１３が抜け落ちることを防止しており、直管形ランプ１０の落下を防止することができる。
【００７９】
また、実施の形態２において保持側ソケット３０の保持ピン挿入溝３６に実施の形態１のランプ落下防止具５０を挿入しても良い。この場合、保持側ソケット３０及び給電側ソケット４０の双方で直管形ランプ１０の落下を防止することができるため、保持側ソケット３０又は給電側ソケット４０のいずれか片方のみにランプ落下防止具を挿入した場合に比べてより確実に直管形ランプ１０の落下を防ぐことができる。
【００８０】
また、実施の形態１及び２に係る直管形ランプ１０の、発光素子１８は発光ダイオードである発光素子１８と、基板１７と、ヒートシンク１６と、を有しているが、これには限らない。例えば、発光素子は有機エレクトロルミネッセンス（以下、有機ＥＬと称する）を用いた有機ＥＬ素子でも良い。また、直管形ランプ１０は、従来直管形ランプに用いられていた蛍光灯であっても良い。
【００８１】
また、実施の形態１及び２に係る給電側口金１１，保持側口金１２，給電ピン１３及び保持ピン１４の形状は、ＪＩＳＣ７７０９−１で定められているＧＸ１６ｔ−５口金に準じた形状であるが、これに限らない。本発明は、直管形ランプ１０のランプピンが、ソケットに形成されたピン挿入溝を介してソケット内に挿入され、ソケットに保持されるような照明装置であれば適応することができるため、例えば、直管形ランプの口金及びピンの形状がＪＩＳＣ７７０９−１で定められているＧ１３口金、Ｇ５口金でも構わない。
【符号の説明】
【００８２】
１  照明装置、１０  直管形ランプ、１１  給電側口金、１２  保持側口金、１３  給電ピン、１３ａ  給電ピン軸部、１３ｂ  給電ピン端部、１４  保持ピン、１４ａ  保持ピン軸部、１４ｂ  保持ピン端部、１５  ランプカバー、１６  ヒートシンク、１７  基板、１８  発光素子、２０  照明器具、２１  器具本体、２２  反射板、３０  保持側ソケット、３１  保持側ソケット筐体、３２  保持具、３２ａ  固定部、３２ｂ  ばね部、３２ｃ  ピン受け部、３３  板バネ、３４  保持側ソケットボディ、３４ａ  器具本体接続部、３５  保持側ソケットカバー、３５ａ  爪部、３６  保持ピン挿入溝、４０  給電側ソケット、４１  給電側ソケット筐体、４２  通電金具、４２ａ  端子部、４２ｂ  ばね部、４２ｃ  ピン受け部、４３  回転子、４３ａ  口金対向部、４３ｂ  円筒部、４３ｃ  回転子側ピン挿入溝、４３ｄ  防止具挿入溝、４４  板バネ、４５  給電側ソケットボディ、４５ａ  器具本体接続部、４６  給電側ソケットカバー、４６ａ  爪部、４７  給電側ソケット開口部、４７ａ  位置決めリブ、４８  給電ピン挿入溝、５０  ランプ落下防止具、５０ａ  防止具底面、５０ｂ  防止具頂面、５０ｃ  防止具前面、５０ｄ  防止具背面、５０ｅ  防止具側面、５１  凸部、５２  収縮孔、５３  持ち手部、５３ａ  滑り止め突起、６０  ランプ落下防止具、６０ａ  防止具底面、６０ｂ  防止具頂面、６０ｃ  防止具前面、６０ｄ  防止具背面、６０ｅ  防止具側面、６１  凸部、６２  持ち手部、６２ａ  滑り止め突起、６３  回転子挿入突起部、６４  収縮孔
【図１】
0006442954.tif 000002
【図２】
0006442954.tif 000003
【図３】
0006442954.tif 000004
【図４】
0006442954.tif 000005
【図５】
0006442954.tif 000006
【図６】
0006442954.tif 000007
【図７】
0006442954.tif 000008
【図８】
0006442954.tif 000009
【図９】
0006442954.tif 000010
【図１０】
0006442954.tif 000011
【図１１】
0006442954.tif 000012
【図１２】
0006442954.tif 000013
【図１３】
0006442954.tif 000014
【図１４】
0006442954.tif 000015
【図１５】
0006442954.tif 000016
【図１６】
0006442954.tif 000017
【図１７】
0006442954.tif 000018
【図１８】
0006442954.tif 000019
【図１９】
0006442954.tif 000020
【図２０】
0006442954.tif 000021